(57)【要約】【課題】  瓦屋根の通気性及び排水性の向上を図る。【解決手段】  鼻桟６は、野地板３の軒端に固定され、野地板３上に配置される多数の屋根瓦１０のうち屋根１の傾斜方向４０の最下列の屋根瓦１０を下方から支持する。この鼻桟６は、屋根１の傾斜方向４０に延びて最下列の屋根瓦１０と野地板３との間の空間部１７を外部に連通する貫通穴１２を有している。【選択図】  図１
2006214117.tif 000002
【特許請求の範囲】
【請求項１】
屋根の野地板の軒端に固定され、前記野地板上に配置される多数の屋根瓦のうち前記屋根の傾斜方向最下列の屋根瓦を下方から支持する鼻桟であって、
前記屋根の傾斜方向に延び、前記最下列の屋根瓦と前記野地板との間の空間部を外部に連通する通気路を有する
ことを特徴とする鼻桟。
【請求項２】
野地板と、
前記野地板上に配置される多数の屋根瓦と、
前記屋根瓦と野地板との間に形成され、屋根の傾斜方向に沿って連通する空間部と、
前記野地板の軒端に固定され、前記屋根瓦のうち前記屋根の傾斜方向最下列の屋根瓦を下方から支持する鼻桟と、を備えた瓦屋根の通気構造であって、
前記鼻桟は、前記屋根の傾斜方向に延びて前記最下列の屋根瓦と前記野地板との間の前記空間部を外部に連通する通気路を有する
ことを特徴とする瓦屋根の通気構造。
【発明の詳細な説明】
【技術分野】
【０００１】
本発明は、鼻桟及びこの鼻桟を備えた瓦屋根の通気構造に関する。
【背景技術】
【０００２】
住宅等の建物の一般的な瓦屋根では、野地板上に多数の屋根瓦が配置され固定される。また、屋根瓦と野地板との間には、通気及び排水を目的として、屋根の傾斜方向に沿って連通する空間部が確保されている。
【０００３】
【特許文献１】特開２００４−１９０２１６号公報
【発明の開示】
【発明が解決しようとする課題】
【０００４】
ところで、屋根の最下部である軒先（野地板の軒端）には、屋根の傾斜方向最下列（軒側先端）の屋根瓦を下方から支持する複数の鼻桟が、屋根の傾斜と交叉する方向に略直線状に配置され固定されている。しかし、従来の鼻桟は、木製の角材によって構成されており、鼻桟と野地板との間に充分な間隙が確保されていないため、野地板と屋根瓦との間に屋根の傾斜方向に沿った空間部を確保していても、屋根の軒先において、係る空間部が鼻桟によって塞がれてしまう。このため、野地板と屋根瓦との間において、充分な通気性を得ることができず、気温の上昇により瓦屋根が高温となった場合、係る空間部内に空気の温度も著しく上昇し、その影響が室内温度に大きく関与してしまう。また、雨水等が浸入したときの排水性も悪い。
【０００５】
そこで、本発明は、瓦屋根の通気性及び排水性の向上を図ることが可能な鼻桟及び瓦屋根の通気構造の提供を目的とする。
【課題を解決するための手段】
【０００６】
上記課題を解決するため、本発明に係る鼻桟は、野地板の軒端に固定され、野地板上に配置される多数の屋根瓦のうち屋根の傾斜方向最下列の屋根瓦を下方から支持するものであり、屋根の傾斜方向に延びて最下列の屋根瓦と野地板との間の空間部を外部に連通する通気路を有している。
【０００７】
また、本発明に係る瓦屋根の通気構造は、野地板と、野地板上に配置される多数の屋根瓦と、屋根瓦と野地板との間に形成され屋根の傾斜方向に沿って連通する空間部と、野地板の軒端に固定されて屋根の傾斜方向最下列の屋根瓦を下方から支持する鼻桟と、を備えた瓦屋根の通気構造であって、鼻桟は、屋根の傾斜方向に延びて最下列の屋根瓦と野地板との間の空間部を外部に連通する通気路を有している。
【０００８】
上記構成では、最下列の屋根瓦と野地板との間の空間部は、鼻桟の通気路によって外部と連通する。すなわち、野地板と屋根瓦との間に形成され屋根の傾斜方向に沿って連通する空間部は、屋根の軒先において塞がれることなく、鼻桟の通気路によって外部と連通する。従って、野地板と屋根瓦との間における通気性が向上し、また、雨水等が浸入したときの排水性も向上する。
【発明の効果】
【０００９】
本発明によれば、瓦屋根の通気性及び排水性の向上を図ることができる。
【発明を実施するための最良の形態】
【００１０】
以下に、本発明に係る瓦屋根の通気構造の一実施形態を、図面に基づいて説明する。図１は本実施形態の瓦屋根の要部断面図、図２は図１の鼻桟の斜視図、図３は図２の鼻桟を野地板に固定した状態を示す斜視図、図４は図１の瓦屋根の棟換気の状態を模式的に示す断面図である。
【００１１】
図１に示すように、瓦屋根（以下、単に屋根と称する）１は、タルキ２上に固定された野地板３と、野地板３上に配置される多数の屋根瓦１０とを備える。野地板３は、木製の合板４と、合板４上に敷設された耐水シート材５とから構成されている。
【００１２】
図１〜図３に示すように、野地板３の軒端（屋根１の最下部である軒先）の上面には、複数本の鼻桟６が屋根の傾斜方向と略直交して略直線状に並んで配置され、各鼻桟６は、釘７によって野地板３に固定されている。また、鼻桟６の下方近傍には、軒樋１６が設けられている。
【００１３】
鼻桟６には、屋根１の傾斜方向４０の最下列（軒側先端）の屋根瓦１０の下端部（軒先側）が載せられ、この屋根瓦１０の下端部が鼻桟６に釘８によって固定されている。また、最下列の屋根瓦１０の上端部（棟側）は、野地板３に釘９によって固定されている。この最下列の屋根瓦１０の上端部には、屋根１の傾斜方向４０の直ぐ上（最下列から上方に２列目）の屋根瓦１０の下端が重ねられ、この２列目の屋根瓦１０の上端部も、釘９によって野地板３に固定されている。このように、屋根瓦１０は最下列から上方に順次重ねられ、野地板３に固定される。これにより、各屋根瓦１０と野地板３との間には、空間部１７が形成される。
【００１４】
各屋根瓦１０の上端部は、下方に曲折して野地板３と接するが、この上端部の下面には、野地板３との間に間隙を形成する凹部１１が部分的に形成されている。この凹部１１によって、屋根１の傾斜方向４０で隣接する空間部１７同士が連通する。すなわち、屋根瓦１０と野地板３との間には、屋根１の傾斜方向４０に沿って連通する空間部１７が確保されている。
【００１５】
各鼻桟６は、略角柱状であり、木材や樹脂材などによって形成されている。鼻桟６には、屋根１の傾斜方向に沿い且つ鼻桟６の幅方向を貫通する通気路としての貫通穴１２が複数形成されている。係る貫通穴１２によって、最下列の屋根瓦１０と野地板３との間の空間部１７が外部に連通する。なお、貫通穴１２は、ドリル等を用いた後加工により形成することも可能であるが、樹脂材による射出成形によって予め形成しておく方が好ましい。
【００１６】
図４に示すように、屋根１の下方に区画される屋根裏空間３３の下部は、多孔板や金網等で構成された換気口３１によって外部と連通し、上部は、屋根１の頂部に設けられた棟換気装置３２によって外部と連通している。また、屋根１の傾斜方向４０に沿って連通する空間部１７の上端も、棟換気装置３２によって外部と連通している。
【００１７】
本実施形態によれば、最下列の屋根瓦１０と野地板３と間の空間部１７は、鼻桟６の貫通穴１２によって外部と連通する。すなわち、野地板３と屋根瓦１０との間に形成され屋根１の傾斜方向４０に沿って連通する空間部１７は、屋根１の軒先において塞がれることなく、鼻桟６の貫通穴１２によって外部と連通する。従って、例えば気温の上昇によって屋根１が高温となり、空間部１７内の空気が加熱されて上方へ移動する場合、外部の空気が鼻桟６の連通穴１２から空間部１７内へ流入し、空間部１７内を上方へ良好に流通して、棟換気装置３２から流出する。また、屋根裏空間３３の温度上昇に起因して換気口３１から屋根裏空間３３へ流入して棟換気装置３２から外部へ流出する空気の流れ（図中矢印４１で示す）が増大すると、棟換気装置３２内において、係る棟換気の空気の流れが空間部１７の空気を引き込み、空間部１７内を流通する空気の量も増大する。
【００１８】
このように、本実施形態では、野地板３と屋根瓦１０との間に形成され屋根１の傾斜方向４０に沿って連通する空間部１７が上端及び下端で外部と連通しているので、野地板３と屋根瓦１０との間における空気の流れ（図中矢印４２で示す）が良好となり、通気性が向上する。従って、屋根１の温度上昇に伴った空間部１７の温度上昇を効率よく抑えることができ、屋根１の温度上昇が室内温度に与える影響を緩和することができる。
【００１９】
また、仮に野地板３と屋根瓦１０との間の空間部１７に雨水等が浸入した場合であっても、その雨水等は、貫通穴１２から外部へ排水される。従って、空間部１７の湿度の上昇を抑えることができ、湿気等による影響を緩和することができる。
【００２０】
なお、通気路は上記貫通穴１２に限定されるものではなく、屋根１の傾斜方向４０に延び、最下列の屋根瓦１０と野地板３との間の空間部１７を外部に連通するものであれば、様々な形状及び態様を適用することができる。例えば、図５に示すように、鼻桟１３のうち野地板３と接する下面に、野地板３との間で所定の大きさの間隙を形成する凹状の貫通溝１４を通気路として形成してもよい。また、鼻桟６，１３を複数の部品によって構成してもよい。
【００２１】
また、通気路（貫通穴１２）を有する鼻桟６のみを使用せず、図６に示すように、通気路を有さない鼻桟１５と通気路を有する鼻桟６とを混在させて配列（例えば、交互に配列）してもよい。
【００２２】
さらに、屋根瓦１０の上端部を野地板３に直接固定せず、図７に示すように、瓦桟２２を介して固定するタイプの屋根瓦２１を使用した瓦屋根２０に対しても、上記鼻桟６は有効である。なお、この場合、瓦桟２２は、屋根１の傾斜方向４０で隣接する空間部１７同士を連通する連通部２３を有することが好ましい。
【００２３】
また、鼻桟６の外形は略角柱状に限定されるものではなく、例えば半円柱状や部分的に湾曲面を有する形状など様々な形状を採用することができる。
【産業上の利用可能性】
【００２４】
本発明は、様々な鼻桟及び瓦屋根の通気構造に適用することができる。
【図面の簡単な説明】
【００２５】
【図１】本実施形態の瓦屋根の要部断面図である。
【図２】図１の鼻桟の斜視図である。
【図３】図２の鼻桟を野地板に固定した状態を示す斜視図である。
【図４】図１の瓦屋根の棟換気の状態を模式的に示す断面図である。
【図５】鼻桟の他の例を示す斜視図である。
【図６】鼻桟を野地板に固定した他の状態を示す斜視図である。
【図７】瓦屋根の他の例を示す要部断面図である。
【符号の説明】
【００２６】
１：瓦屋根
３：野地板
６：鼻桟
１０：屋根瓦
１２：貫通穴（通気路）
１３：鼻桟
１４：貫通溝（通気路）
１７：空間部
２０：瓦屋根
２１：屋根瓦
４０：屋根の傾斜方向
【図１】
2006214117.tif 000003
【図２】
2006214117.tif 000004
【図３】
2006214117.tif 000005
【図４】
2006214117.tif 000006
【図５】
2006214117.tif 000007
【図６】
2006214117.tif 000008
【図７】
2006214117.tif 000009